(57)【要約】【課題】通気性の困難な魚釣り等の深形の長靴や、深形の手袋の内部を効率よく早く乾燥する乾燥器を提供する。【解決手段】乾燥器１は垂直な通風管２と通風管２と平行に設けられた乾燥管３とそれぞれを連結させる連結管４とで構成されている。通風管２の上端には送風機６を備えており、送風機６は蓄電池や太陽電池などの電源装置11で駆動するものであって、通気性の困難な深形の乾燥物内部で発生する水蒸気をいち早く排出し、乾燥物内を乾燥する。【選択図】          図１
2004194973.tif 000002
【特許請求の範囲】
【請求項１】
垂直な通風管と、通風管と平行に設けられた複数の乾燥管を連結管で接続し、通風管と複数の乾燥管とを通風可能とし、乾燥管に被せた通気性の困難な乾燥物の内部を乾燥する乾燥器において、乾燥物内部の湿気を含んだ空気を排気するため、通風管に強制排気手段を設けて通風管を排気路としたことを特徴とする乾燥器。
【請求項２】
垂直な通風管と、通風管と平行に設けられた複数の乾燥管を連結管で接続し、通風管と複数の乾燥管とを通風可能とし、乾燥管に被せた通気性の困難な乾燥物の内部を乾燥する乾燥器において、太陽光を受けて温まった通風管内部の空気を乾燥物の内部に圧送するため、通風管に強制圧送手段を設けて通風管を吸気路としたこと特徴とする乾燥器。
【請求項３】
垂直な通風管と、通風管と平行に設けられた複数の乾燥管を連結管で接続し、通風管と複数の乾燥管とを通風可能とし、乾燥管に被せた通気性の困難な乾燥物の内部を乾燥する乾燥器において、乾燥物内部の湿気を含んだ空気を排気する強制排気手段と、太陽光を受けて温まった通風管内部の空気を乾燥物の内部に圧送する強制圧送手段とを通風管に兼ね備え、強制吸引と強制圧送を交互に動作制御すること特徴とする乾燥器。
【請求項４】
強制排気手段又は強制圧送手段あるいはそれらの電源は、一次電池又は充電可能な二次電池及び太陽電池若しくは、二次電池と太陽電池を組み合わせの何れからなることを特徴とする請求項１、２または請求項３に記載の乾燥器。
【請求項５】
一本の通風管の断面積は、一本の乾燥管より大きいことを特徴とする請求項１ないし請求項４のいずれかに記載の乾燥器。
【請求項６】
通風管・乾燥管・連結管のどれかひとつ、若しくはそれぞれが、乾燥物の長さ又は大きさに合わせて、長さの変更を可能としたことを特徴とする請求項１ないし請求項５のいずれかに記載の乾燥器。
【請求項７】
一本の通風管と３本以上の乾燥管を連結管で接続した構成であって、連結管を底面とし自立できるように構成したことを特徴とする請求項１ないし請求項６のいずれかに記載の乾燥器。
【請求項８】
通風管の上端に吊下げ金具を設けたことを特長とする請求項１ないし請求項７のいずれかに記載の乾燥器。
【請求項９】
通風管に脱臭装置を備えたことを特徴とする請求項１ないし請求項８のいずれかに記載の乾燥器。
【請求項１０】
通風管に芳香剤又は、殺菌剤を添加する装置を備えたことを特徴とする請求項１ないし請求項８のいずれかに記載の乾燥器。
【発明の詳細な説明】
【０００１】
【発明の属する技術分野】
本発明は、深形の長靴や深形の手袋等のように、通気性の困難な乾燥物の内部を、効率よく早く乾燥することを目的とした乾燥器に関するものである。
【０００２】
【従来の技術】
魚釣り用の深形の長靴、漁業用の深形の長靴又は、ゴム手袋等の通気性が困難な乾燥物の内部を乾かす場合、従来では天気の良い日に逆さ吊りにして野外に干しておくことが一般的に行なわれている。しかし、上記方法では下端から徐々に乾燥が始まってくるが、乾燥物内で発生した水蒸気は上昇しようとするため、水蒸気が下端からなかなか外部に排出されず、何時になっても長靴やゴム手袋の先端は湿気を持ち乾き難いものである。
【０００３】
加熱した乾燥風を乾燥物の先端から送り込む靴乾燥器は公知であるが（特開平０６−１８１８７８号、特開平０８−１０３４０８号公報参照）、従来のこの靴乾燥器は加熱用のヒータ等を使用しているため、かなりの電力を必要としている。
【０００４】
そこで、特開２００２−１５９４３４号公報記載の長靴乾燥具は、加熱筒が太陽熱で加熱されることで生じる温度差及び、加熱筒の開口部に風が通過することにより管内の空気を吸い出す効果など、自然の力を利用した乾燥具であるが、雨天や夜間又は無風時での乾燥効果はあまり期待できないという欠点がる。
【０００５】
【発明が解決しようとする課題】
このように、通気性の困難な深形の長靴や、ゴム手袋内部を早く乾燥する方法としては、ヒータ等の発熱器を使用して乾燥風を作り出し、強制的に乾燥物内部に送り込む方法が多くとられているが、かなりのエネルギーを必要とするものであるし、自然の力を利用して乾燥物内部に発生した水蒸気を機外に排出する乾燥具も自然の影響を受けやすく、常に一定の効果を期待できないのが実情である。
【０００６】
そこで本発明は、通気性の困難な深形の長靴や、ゴム手袋内部で発生する水蒸気をいち早く機外に排出すること、または太陽光等の自然の熱を利用する事によって、雨天や夜間でも乾燥効率を下げず、乾燥に要するエネルギーの消費も極力おさえた乾燥器を提供することを目的とする。
【０００７】
【課題を解決するための手段】
上記目的を達成させるため、本発明は請求項１ないし１０に係る乾燥器を提案するものである。すなわち、請求項１に係る乾燥器は、垂直な通風管と、通風管と平行に設けられた複数の乾燥管を連結管で接続し、通風管と複数の乾燥管とを通風可能とし、乾燥管に被せた通気性の困難な乾燥物の内部を乾燥する乾燥器において、乾燥物内部の湿気を含んだ空気を排気するため、通風管に強制排気手段を設けて通風管を排気路としたことを特徴とするものである。
【０００８】
請求項２に係る乾燥器は、垂直な通風管と、通風管と平行に設けられた複数の乾燥管を連結管で接続し、通風管と複数の乾燥管とを通風可能とし、乾燥管に被せた通気性の困難な乾燥物の内部を乾燥する乾燥器において、太陽光を受けて温まった通風管内部の空気を乾燥物の内部に圧送するため、通風管に強制圧送手段を設けて通風管を吸気路としたこと特徴とするものである。
【０００９】
請求項３に係る乾燥器は、垂直な通風管と、通風管と平行に設けられた複数の乾燥管を連結管で接続し、通風管と複数の乾燥管とを通風可能とし、乾燥管に被せた通気性の困難な乾燥物の内部を乾燥する乾燥器において、乾燥物内部の湿気を含んだ空気を排気する強制排気手段と、太陽光を受けて温まった通風管内部の空気を乾燥物の内部に圧送する強制圧送手段とを通風管に兼ね備え、強制吸引と強制圧送を交互に動作制御すること特徴とするものである。
【００１０】
請求項４に係る乾燥器は、請求項１、２または請求項３に記載の乾燥器において、強制排気手段又は強制圧送手段あるいはそれらの電源は、一次電池又は充電可能な二次電池及び太陽電池若しくは、充電可能な二次電池と太陽電池を組み合わせの何れからなることを特徴とするものである。
【００１１】
請求項５に係る乾燥器は、請求項１ないし請求項４のいずれかに記載の乾燥器において、一本の通風管の断面積は、一本の乾燥管より大きいことを特徴とするものである。
【００１２】
請求項６に係る乾燥器は、請求項１ないし請求項５のいずれかに記載の乾燥器において、通風管・乾燥管・連結管のどれかひとつ、若しくはそれぞれが、乾燥物の長さ又は大きさに合わせて、長さの変更を可能としたことを特徴とするものである。
【００１３】
請求項７に係る乾燥器は、請求項１ないし請求項６のいずれかに記載の乾燥器において、一本の通風管と３本以上の乾燥管を連結管で接続した構成であって、連結管を底面とし自立できるように構成したことを特徴とするものである。
【００１４】
請求項８に係る乾燥器は、請求項１ないし請求項７のいずれかに記載の乾燥器において、通風管の上端に吊下げ金具を設けたことを特長とするものである。
【００１５】
請求項９に係る乾燥器は、請求項１ないし請求項８のいずれかに記載の乾燥器において、通風管に脱臭装置を備えたことを特徴とするものである。
【００１６】
請求項１０に係る乾燥器は、請求項１ないし請求項８のいずれかに記載の乾燥器において、通風管に芳香剤又は、殺菌剤を添加する装置を備えたことを特徴とするものである。
【００１７】
なお、本発明において垂直な通風管とは、水平面に対して通風管がほぼ垂直に起立している状態であればよく、必ずしも水平面に対して鉛直でなくてもかまわない。また、通風管と並行に設けられた乾燥管とは、通風管に対して乾燥管が完全な平行状態でなくてもよく、両者が並設されている状態であればよいものとする。
【００１８】
【発明の実施の形態】
図面には本発明に係る乾燥器として通気性が困難な深形の長靴用のものを例示している。図１は本発明の第1の実施の形態に係る乾燥器の断面図。図２は第２の実施の形態に係る乾燥器の断面図。図３は第３の実施の形態に係る乾燥器の断面図。図４はそれぞれの形態に更に電源装置を示した乾燥器の断面図。図５は前記のそれぞれの形態に一本の通風管の断面積が、一本の乾燥管より大きいことを示した断面図。図６は通風管・乾燥管・連結管のどれかひとつ、若しくはそれぞれが乾燥物の長さ又は大きさに合わせて、長さの変更を可能としたことを示す断面図。図７は図６の形態の他の実施の形態を示した断面図。図８は連結管を底面にして、自立できる構成としたことを示す斜視図。図９は図８の平面図。図１０は図８・９の実施の他の形態を示した平面図。図１１は通風管上部に吊下げ金具を設けた形態を示す断面図。図１２は通風管に脱臭装置を設けた形態を示した断面図。図１３は通風管に芳香剤又は殺菌剤を添加する装置を設けた形態を示した断面図である。
【００１９】
図１において、１は乾燥器である。乾燥器１は垂直な通風管２と通風管２と平行に設けられた乾燥管３とそれぞれを連結させる連結管４とで構成されしかも、通風管２の一部には通風管２の上端を排風口７となるように強制通気する送風機６が設けられていて、乾燥管３には表面と内部との通気性の困難な素材から成る乾燥物５が覆い被さっている。
【００２０】
図１に示す乾燥器は、使用後の長靴または洗濯後の長靴などの内部が濡れた通気性の困難な乾燥物（深形の長靴）５の内部を早く乾燥する乾燥器であって、通風管２に設けられた送風機６を通風管２の上端を排風口７となるように駆動させることで、外気を乾燥物５の下端から乾燥物５内部に取り込み、乾燥物５の内部の湿気若しくは水蒸気８を含んだ空気を乾燥管３から吸い込み、連結管４、通風管２の順に空気が移動し、排出口７から排出するものである。乾燥物５の内部の湿気若しくは水蒸気８を含んだ空気をいち早く機外に排出することによって乾燥した外気を乾燥物５内に取り込み乾燥するものである。なお、乾燥物５の表面に太陽光に当てると乾燥物５内部の水蒸気８の発生量を多くするので、より乾燥時間の短縮になる（図示せず）。
【００２１】
図２に示す実施の形態においては、垂直な通風管２と通風管２と平行に設けられた乾燥管３とそれぞれを連結させる連結管４とで構成されしかも、通風管２の一部には通風管２の上端を吸気口２４となるように強制通気する送風機６が設けられていて、乾燥管３には表面と内部との通気性の困難な素材から成る乾燥物５が覆い被さっている。
【００２２】
図２に示す乾燥器は、通風管２に設けられた送風機６を通風管２の上端が吸気口２４となるように駆動させることで、太陽光１０によって通風管２内部の暖まった空気９を、連結管４から乾燥管３に送り込み乾燥物５内部に供給することで、乾燥物５内部の停滞する水蒸気８を乾燥物５の下端から機外に排出しするものである。しかも乾燥物５内に送り込んだ暖まった空気９で乾燥物５内部の温度が上昇し、よりいっそう水蒸気８の発生を促し、強制的に乾燥物５内の空気を機外に排出して乾燥できるものである。
【００２３】
図３に示す実施の形態においては、垂直な通風管２と通風管２と平行に設けられた乾燥管３とそれぞれを連結させる連結管４とで構成されしかも、通風管２の一部には通風管２の上端が排風口７と吸気口２４に交互になるように強制通気制御された送風機６が設けられていて、乾燥管３には表面と内部との通気性の困難な素材から成る乾燥物５が覆い被さっている。
【００２４】
図３に示す乾燥器は、通風管２の上端を排風口７となるように送風機６を駆動させることで、外気を乾燥物５の下端ら乾燥物５内部に取り込み、乾燥物５の内部の湿気若しくは水蒸気８を含んだ空気をいち早く機外に排出することによって乾燥した外気を乾燥物５内に取り込み乾燥する吸引行程と、太陽光１０によって通風管２内部の暖まった空気９を、連結管４から乾燥管３に送り込み乾燥物５内部に供給することで、乾燥物５内部の温度が上昇し、よりいっそう水蒸気８の発生を促す圧送行程とを交互に行なうことで、圧送行程で多く発生した水蒸気８を吸引行程でより早く機外に排出し、乾燥時間を短縮できるものである。
【００２５】
尚、図２に示す実施の形態すなわち、圧送行程でも水蒸気８を乾燥物５の下端より排出可能であるが、深形の乾燥物などでは乾燥物の先端など空気の通風が困難な部分では吸引したほうが均一に空気を通風することが出来ること及び、通風管２が太陽光１０によって暖められると通風管２内に上昇気流が発生するので、送風機６による圧送の効率は下がり、乾燥時間の短縮は図れない。そこで、一時的に暖まった空気を乾燥物５内に送り込み乾燥物５内部を暖め、水蒸気８の発生を促し通風管２の上昇気流に逆らわず即ち、自然エネルギーの気流を利用して吸引行程とすることで、動力を極力使用せず多風量で乾燥物５内の空気を機外に排出し、乾燥することが出来る。
【００２６】
図４において、送風機６の動力源となる電源装置１１は乾電池のような一次電池又は蓄電池のような充電可能な二次電池及び太陽電池若しくは充電可能な二次電池と太陽電池双方を有したものであっても良い（図示せず）。電源装置１１は電源の供給のほか送風機の回転方向の制御を行なうものであって、必要に応じて風量の制御が出来るとよい。
【００２７】
図５は、通風管２の管内断面積を一本の乾燥管３より大きくしたものであって、通風管２の断面形状が大きくなればなるほど圧送吸引を行なう動力すなわち送風機６の負荷は少なくなり、効率的に空気を移動することが出来る。
【００２８】
図６は、複数の継足し管１２とひとつのＴ型管１３と二つのＬ型管１４をつなぎ合わせることによって、乾燥器１を形成したもので、継足し管１２をそれぞれ繋ぎ合せて通風部１５及び乾燥部１６又は連結部１７を形成したものである。
また、図７は、通風部１５及び乾燥部１６又は連結部１７を伸縮自在にし、それぞれの長さを調節することが出来る。
【００２９】
図６や図７のように、それぞれの管の長さを変更できるようにすることは乾燥物の大きさ・幅・長さにあわせることができ、一定の形状に限定せず通気性の困難な深形のもの、例えば食品加工用のゴム手袋・女性用のブーツ・ウエットスーツ等にも使用可能になる。
【００３０】
また、通風部１５を継足し管１２で繋ぎ合せ長くすればするほど太陽光を浴び、通風部１５の管内温度の上昇部分が広がるので、多くの上昇気流が発生し、吸引時の送風機６の負荷を低減するものである。
伸縮自在の効果は、使用しないとき小さくまたは分解できるので場所を取らず収納することも出来る。
【００３１】
図８は、ひとつの通風管２と四つの乾燥管３を連結管４で接合したものであって、図８の平面図図９の示すように連結管４を底面に十字に配置することによって自立できるようにしたものである。
また、図１０は乾燥管３同士を連結管４でつなげ、中央に通風管２を設けた他の連結管４とをつなげ、連結管４をＨ字に配置することによって自立できるようにし何処でも乾燥作業が可能としたものである。
【００３２】
図１１は、乾燥器１の通風管２の上端に吊下げ金具１８を設けたことによって、洗濯のものと同等に物干し竿、若しくは吊下げ部のある空間での乾燥を可能としたものである。
【００３３】
図１２は、通風管２の上端を排風口７とした吸引行程の場合に、通風管２の一部に脱臭剤２０を内装した脱臭部１９を設けたものであって、また図１３は、通風管２の上端を吸気口２４とした圧送行程の場合に、通風管２の一部に芳香剤２２または殺菌剤２３等を添加する添加部２１を設けたものである。
【００３４】
図１の実施の形態、すなわち通風管２の上端を排風口７とした吸引行程での乾燥方法で、乾燥物５内部の水蒸気８を排風口７から機外に排出する場合、天候不順で室内で乾燥させる場合など特にそのまま機外に排出したのであっては乾燥器周辺に悪臭を放ってしまう。そこで、悪臭を含んだ空気を機外に排出される前の通風管２の一部に設けられた脱臭装置１９を通すことで、悪臭を脱臭剤２０に吸着させ室内に悪臭の広がり放つことを防止できる。
【００３５】
そして図２の実施の形態、通風管２の上端を吸気口２４とした圧送行程での乾燥方法で、乾燥物５内部の水蒸気８を乾燥物５の下端から機外に排出する場合、乾燥物５を室内で乾燥すると、乾燥物５内で発した水蒸気８と共に悪臭も乾燥物５の下端から機外に排出してしまう。そこで、悪臭の発生を抑えるため又は、悪臭元の菌を死滅させるため、通風管２に設けられた添加装置２１により芳香剤２２や殺菌剤２３を添加し、悪臭を防止するものである。
【００３６】
前記２つの実施の形態を加味する形態、すなわち吸引行程と圧送行程を交互に繰り返す図３の形態では、吸引行程で悪臭の脱臭装置１９での吸着方法と、圧送行程での芳香剤２２や殺菌剤２３を添加する添加装置２１を利用した悪臭防止方法の両方を加味するとよりいっそう悪臭の発生を防止することが出来る。
【００３７】
【発明の効果】
本発明のよれば、通気性の悪い乾燥物内部の水分を強制的に機外に排出することにとって、天候に関係なく乾燥物内を早く乾燥すること、また太陽光で暖まった空気を乾燥物内に導くことで乾燥物からの水蒸気の発生を促進させ、多く発生した水蒸気を効率よく機外に排出することで通気性の困難な乾燥物の乾燥器を提供することが出来る。
またその乾燥器は、強制排気手段や強制圧送手段の電源として乾電池のような一次電池又は、蓄電池のような充電可能な二次電池若しくは、太陽電池を使用して乾燥器自体を自立可能としたので、どんな場所でも乾燥することが可能であって、乾燥物に適した長さや大きさにすることも可能であるので、乾燥効率が落ちることなく、また乾燥物内で発生した悪臭は脱臭剤で吸着されるので、悪臭を放つことの無い乾燥器を提供することが出来る。
【図面の簡単な説明】
【図１】本発明の第１の実施の形態に係る乾燥器の断面図である。
【図２】本発明の第２の実施形態に係る乾燥器の断面図である。
【図３】本発明の第３の実施形態に係る乾燥器の断面図である。
【図４】それぞれの実施の形態に電源装置を示した断面図である。
【図５】一本の通風管の断面積が、一本の乾燥管より大きいことを示した断面図である。
【図６】管の長さ変更を可能とする実施を示すの断面図である。
【図７】図６の他の実施の形態を示した断面図である。
【図８】自立状態を示す斜視図である。
【図９】図８の平面図である。
【図１０】自立状態を示す他の形態の平面図である。
【図１１】吊下げ可能とした断面図である。
【図１２】脱臭装置を設けた形態を示した断面図である。
【図１３】添加装置を設けた形態を示した断面図である。
【符号の説明】
１  乾燥器
２  通風管
３  乾燥管
４  連結管
５  乾燥物
６  送風機
７  排風口
８  水蒸気
９  暖まった空気
１０  太陽光
１１  電源装置
１２  継足し管
１３  Ｔ型管
１４  Ｌ型管
１５  通風部
１６  乾燥部
１７  連結部
１８  吊下げ金具
１９  脱臭部
２０  脱臭剤
２１  添加装置
２２  芳香剤
２３  殺菌剤
２４  吸気口
【図１】
2004194973.tif 000003
【図２】
2004194973.tif 000004
【図３】
2004194973.tif 000005
【図４】
2004194973.tif 000006
【図５】
2004194973.tif 000007
【図６】
2004194973.tif 000008
【図７】
2004194973.tif 000009
【図８】
2004194973.tif 000010
【図９】
2004194973.tif 000011
【図１０】
2004194973.tif 000012
【図１１】
2004194973.tif 000013
【図１２】
2004194973.tif 000014
【図１３】
2004194973.tif 000015